(57)【要約】      （修正有）【課題】マウス操作の疲労を軽減することができるクッション付きマウスパッドを提供する。【解決手段】マウスパッドは、本体部１０に、マウスがのるパッド面１１と、手首や腕をのせるクッション２が収納される第１の収納部１２とを備える。本体部１０は、比較的堅い素材が好ましい。パッド面１１は使用可能状態で使用者側の手前から奥手側に向かって面が徐々に低くなるように傾斜している。そして、第１の収納部１２は上方が開口し、下方に円柱形に窪んでいる。そして、開口部分に、内部から開口に向かって径が拡大するように傾斜した、面取り部を備えている。【選択図】図１
2015022407.tif 000002
【特許請求の範囲】
【請求項１】
粘弾性体を有し、手首を支持するクッションと、
上方が開口し、下方に窪み、前記クッションを収納する第１の収納部と、
を備える、クッション付きマウスパッド。
【請求項２】
前記第１の収納部は前記開口の内周端面が面取り形状である面取り部を有する、請求項１に記載のクッション付きマウスパッド。
【請求項３】
前記クッションと前記第１の収納部とを収納する第２の収納部を備える、請求項１又は２に記載のクッション付きマウスパッド。
【請求項４】
前記第１の収納部よりも使用者側の手前が手前に向かうほど低くなる傾斜部を備える、請求項１〜３の何れか１項に記載のクッション付きマウスパッド。
【発明の詳細な説明】
【技術分野】
【０００１】
本発明は、マウスマッドに関し、特にクッションが付いているクッション付きマウスマッドに関する。
【背景技術】
【０００２】
マウスは、手首や上腕を浮かした状態で使用するため、身体各部に負担がかかり、マウス操作が疲労の原因の１つに考えられる場合がある。
【０００３】
特許文献１には、パッド部とリストレスト部とで構成されるマウスパッドが開示されている。特許文献１のマウスパッドは、リストレスト部には曲面の窪みがあり、マウス操作時に手首を支え、固定することで長時間の作業でも疲労を軽減することができる。特許文献２には、平坦なパッド部と隆起したアームレスト部とで構成され、アームレスト部に手首付近をのせることで、手首を浮かせることなくマウス操作ができ、疲労を軽減するマウスパッドが開示されている。特許文献３には、マウス使用者の手前から奥手に向かってパッド面が低くなり、手首を曲げないでマウス操作しやすくするマウスパッドが開示されている。
【０００４】
しかし、特許文献１のマウスパッドは、リストレスト部にある窪みで手首が固定されてしまうため、マウスの動きが制限されてしまう。また、手首だけで操作しなくてはならないため、手首への負担が大きい。また、特許文献２のマウスパッドは、アームレスト部が隆起しており、パッド部が低いため、手首を曲げて使用する状態となり、手首への負担が大きい。そして、特許文献３のマウスパッドは、手首を曲げることによる疲労は軽減できるが、手首や上腕を支えるための負担が軽減されない。
【先行技術文献】
【特許文献】
【０００５】
【特許文献１】特許第５１１４７００号公報
【特許文献２】特開平９−７３３６４号公報
【特許文献３】特開平１１−２４８３６号公報
【発明の概要】
【発明が解決しようとする課題】
【０００６】
本発明は、上記課題（状況）に鑑みてなされたもので、マウス操作の疲労を軽減することができるクッション付きマウスパッドを提供することを解決すべき課題とする。
【課題を解決するための手段】
【０００７】
（１）上記課題を解決するための発明の構成上の特徴は、粘弾性体を有し、手首を支持するクッションと、
上方が開口し、下方に窪み、前記クッションを収納する第１の収納部を有するパッドと、
を備えることである。
【０００８】
粘弾性体とは、粘性と弾性の両方を合わせた性質をもち、外力を加えられて変形した後、外力がなくなってもすぐには戻らず、ゆっくりと元に戻る。
【０００９】
上記（１）の発明は以下に記す（２）〜（４）の構成のうちの１つ以上を任意に加えて採用できる。
【００１０】
（２）前記第１の収納部は前記開口の内周端面が面取り形状である面取り部を有することである。
【００１１】
（３）クッション付きマウスパッドは前記クッションと前記第１の収納部とを収納する第２の収納部を備えることである。
【００１２】
（４）クッション付きマウスパッドは前記第１の収納部よりも使用者側の手前が手前に向かうほど低くなる傾斜部を有することである。
【発明の効果】
【００１３】
（１）の発明においては、マウス使用者の手首が粘弾性体によって支持されるため、手や腕の体圧を粘弾性体に分散することができ、マウス操作の疲労を軽減できる。また、粘弾性体が収納されているクッションを収納する第１の収納部は窪んでいるため、マウス操作中などの動きによってクッションの位置がずれにくい。
【００１４】
（２）の発明においては、第１の収納部が面取りされた面取り部を有するため、粘弾性体の（上下前後左右への）様々な変形を妨げにくいため、手首の動きを制限にしくい。また、手首の動きを制限しにくいため、マウス操作がしやすく、より手首の疲労を軽減することができる。
【００１５】
（３）の発明においては、第２の収納部がクッション（粘弾性体）と第１の収納部とのズレを防止し、手首とクッションの位置が合わせやすい。
【００１６】
（４）の発明においては、手前側に傾斜部を有するため、クッションを収納するための窪みを作るための高さのあるマウスパッドに腕が接触しにくい。
【図面の簡単な説明】
【００１７】
【図１】実施形態１のマウスパッドおよびマウスの斜視図である。
【図２】実施形態１のマウスパッドの本体部およびマウスの斜視図である。
【図３】実施形態１のマウスパッドの本体部の前後方向断面図である。
【図４】実施形態１のマウスパッドの本体部の平面図である。
【図５】粘弾性体の一例を示す説明図である。
【図６】実施形態１のマウスパッドの使用例を示す説明図である。
【発明を実施するための形態】
【００１８】
本発明のクッション付きマウスパッド（以下、「マウスパッド」と称する。）の代表的な実施形態を図１〜図６を参照して説明する。
【００１９】
（実施形態１）
本実施形態１のマウスパッド１は、図１および図２に示すように、本体部１０に、マウスがのるパッド面１１と、手首や腕をのせるクッション２が収納される第１の収納部１２とを備える。本体部１０は、比較的堅い素材が好ましい。パッド面１１は図３および図４に示すように、使用可能状態で使用者側の手前から奥手側に向かって面が徐々に低くなるように傾斜している。例えば、約４度傾斜している。そして、第１の収納部１２は上方が開口し、下方に円柱形に窪んでいる。そして、開口部分に、内部から開口に向かって径が拡大するように傾斜した、面取り部１２１を備えている。
【００２０】
クッション２は、カバー２１の内部に粘弾性体２２が収納されており、第１の収納部３から自由に着脱可能である。カバー２１は、第１の収納部３や手首、腕などに対して滑りにくい素材が好ましいが、肌当たりの良い素材も好ましい。図５に示すように、粘弾性体２２は円柱形をしており、力を加えられることで上下前後左右などのあらゆる方向に変形しやすく、元の円柱形にも戻りやすい。粘弾性体２２の素材としては、例えばオイルが含浸されたスチレン系エラストマーを挙げることができる。
【００２１】
また、マウスパッド１は、本体部１０の第１の収納部１２から手前に向かって徐々に高さが低く形成された傾斜部１３を有する。例えば、約２２度傾斜している。
【００２２】
本実施形態１のマウスパッド１は、例えば図６に示すように、パッド面１１にマウスが位置し、マウスの上に手、クッション２の上に手首をのせて使用する。
【００２３】
本実施形態１のマウスパッド１によれば、マウス使用者の手首や腕を粘弾性体２２によって支持することができるため、手や腕の体圧を粘弾性体２２に分散することができ、マウス操作の疲労を軽減できる。また、粘弾性体２２が円柱形であるため、上下前後左右などのあらゆる方向に変形しやすく、手首の動きを拘束しにくく、より疲労を軽減することが可能である。そして、粘弾性体２２が収納されているクッション２を収納する第１の収納部１２は窪んでいるため、マウス操作中などの動きによってクッション２の位置がずれにくい。
【００２４】
更に、第１の収納部１２が面取りされた面取り部１２１を有するため、粘弾性体２２の（上下前後左右への）様々な変形を妨げにくいため、手首や腕の動きを制限にしくい。また、手首や腕の動きを制限しにくいため、マウス操作がしやすく、より手首や腕の疲労を軽減することができる。
【００２５】
その上、手前側に傾斜部１３を有するため、クッション２を収納するための窪みを作るための高さのあるマウスパッド１に腕が接触しにくい。また、マウス面１１は手前から奥手に向かって徐々に高さが低くなっており、手首を曲げないでマウスを操作するすることができるため、手首の疲労を軽減することができる。
【００２６】
その他に、クッション２は、本体部１０から自由に着脱することができるため、取り外して軟らかさを楽しむリラクゼーショングッズとして使用することができる。
【００２７】
（実施形態２）
本実施形態２のマウスパッドは、基本的な構成は実施形態１のマウスパッド１と同じ構成及び作用効果を有する。以下では、異なる構成を中心に説明していく。
【００２８】
本実施形態２のマウスパッドは、第２の収納部を有する。第２の収納部は、クッション２と第１の収納部１２とを収納する。第２の収納部がクッション２と第１の収納部１２とのズレを防止し、手首とクッション２の位置が合わせやすい。
【００２９】
（その他の実施形態）
以上、本発明の好適な実施形態について説明したが、本発明は上記実施形態に限定されるものではない。例えば、円柱形に限らず、本体部１０の幅に対して比較的小さいものであれば四角柱などでもよい。手首や腕がのせられた状態で、手首や腕が固定されずにマウス操作に追従できることが好ましい。つまり、粘弾性体２２は単に手首や腕を支持するのではなく、マウス操作に追従できるだけの変形ができる素材且つ形状が好ましい。
【００３０】
（付記）
（１）前記粘弾性体は円柱形である。粘弾性体を円柱形とすることで、手首や腕の動きに追従して前後左右に変形しやすいため、手首や腕の動きを妨げにくい。また、手首の動きが拘束されないため、腕全体でマウス操作ができ、手首の疲労を軽減できる。
【００３１】
（２）前記クッションは前記パッドに着脱可能である。パッドから取り外して軟らかさを楽しむリラクゼーショングッズとして使用することができる。また、他の場所に移動させてクッションとして使用することができる。
【００３２】
（３）前記クッションは手首から肘までを支える。手首だけでなく手首から肘まで体圧を粘弾性体を分散することができる。
【符号の説明】
【００３３】
１：マウスパッド、  １１：パッド面、  １２：第１の収納部、  １２１：面取り部、
１３：傾斜部、
２：クッション、  ２１：カバー、  ２２：粘弾性体。
【図３】
2015022407.tif 000003
【図４】
2015022407.tif 000004
【図１】
2015022407.tif 000005
【図２】
2015022407.tif 000006
【図５】
2015022407.tif 000007
【図６】
2015022407.tif 000008